(57)【要約】【課題】ペットが自由に屋外に出入りして運動したり遊んだりすることが出来る外遊び場を住宅の開口部に沿って設けたペット住宅を目的とする。【課題を解決するための手段】住宅２の庭側開口部１３に隣接して忍び返し付ネット状仕切り１２で囲しょうされたペット庭９を設け、かつペット庭９内にデッキ床１４、テラス床１５、芝生１６を設け、所定の位置にキャットタワー１９、ペット用の小道具２０を設け、さらに、前記庭側開口部１３の一部にペットスルーサッシ２２付のペットの出入口２１を設けて構成したペットの住宅構造である。【選択図】        図２
2004222602.tif 000002
【特許請求の範囲】
【請求項１】
ペットを飼育する住宅に於いて、屋内の居住空間の外に木製ウッドデッキ、濡れ縁等の床、ベランダ、庭を設けると共に、これ等の床、ベランダ、庭をネット状仕切りで囲しょうしてペットの外遊び場を形成し、かつ前記居住空間とペットの外遊び場とに介在される仕切壁には掃出窓等のペット専用出入口が設けられて構成されていることを特徴とした屋外遊び場付ペット住宅。
【請求項２】
前記屋内の居住空間とペットの外遊び場との間に介在される仕切壁は、ガラス戸等の透視仕切りを用いて構成されていることを特徴とした請求項１の屋外遊び場付ペット住宅。
【請求項３】
前記ペット専用出入口は、ペットが自由に出入りすることが出来るペットスルーサッシで構成されていることを特徴とした請求項１或は請求項２の屋外遊び場付ペット住宅。
【請求項４】
前記ペットの外遊び場を形成するネット状仕切り或は柱にペットが運動や遊ぶための小道具を着脱自在に取付けて構成したことを特徴とした請求項１乃至請求項３の屋外遊び場付ペット住宅。
【発明の詳細な説明】
【０００１】
【発明の属する技術分野】
本発明は、屋外にペットの遊び場を設けた住宅に係り、特に、屋内で飼育するペットが屋外の未利用空間を有効に利用して形成した外遊び場に、自由に出入りして運動したり遊んだりすることが出来る屋外遊び場付ペット住宅に関するものである。
【０００２】
【従来の技術】
従来、ねこ等の小型のペットは一般的に屋内で飼育している。しかし、ねこ等の屋内で飼育するペットも完全に屋内に閉じ込めた場合には、屋内に充分な運動や遊ぶ設備がないために、ストレスが溜まって病気になる等の問題があった。
【０００３】
また、このようなストレスが溜まることを防止する為に屋外に出入りすることが出来る出入口を設けた場合には、特に都市部に於いて、ペットが敷地外に逃げ出したりして交通事故に合ったり、ねこのエイズなどに病気感染したり、或は前記出入口より他の動物が屋内に侵入する問題もあった。環境省告示「家庭動物等の飼育及び保管に関する基準」では、ペットの飼い方の基準として猫を敷地の外に出さないで飼育するように努力することが明記されるようになって来た。
【０００４】
さらに、後述の特許文献１に示すように、ペットを収納し得るトイレ付きの箱状本体をスライデングサッシの窓枠に取付け、該箱状本体に開閉扉を設け、これによってペットが該箱状本体及び箱状本体の外側のベランダに自由に出入りすることが出来るようにした小動物用飼育装置も知られている。
【０００５】
【特許文献１】
特開平７―３１３０１２号公報
【０００６】
【発明が解決しようとする課題】
しかし、従来のペットの飼育方法に於いては、ペットを屋内に閉じ込めた場合には、運動不足、自由な移動が困難等によってペットのストレスが溜まる一方で、飼主自身もペットの排泄物の臭いに悩まされたり、四六時中ペットと同居するためにストレスを感じる問題があった。また、一方ではペットを屋外に出した場合には、交通事故やペットがエイズ等の悪性の病原菌に侵される問題があった。
【０００７】
本発明は、前述の多くの問題点に鑑み開発された全く新しい発明であって、特にペットが自由に屋外に出入りできる施設を提供することでペットのストレスを解消することを目的とし、かつこの目的を達成するために、（１）ペットが自由に屋外に出入りすることが出来、かつ所定のエリアより外に逃げ出すことが出来ないようにすること、（２）ペットが自然の外気や日光に触れることによって、ペットの健康や精神の安定をもたらせることが出来ること、（３）ペットが安全に楽しく遊べ、かつ、飼主も楽しむことが出来るペット住宅を提供することを目的とする。
【０００８】
【課題を解決するための手段】
先ず、ねこ等の小型のペットを飼主とスムーズに共生しながら、ペット飼主との夫々にストレスが掛からずに快適に楽しくペットを飼育することが出来るペット用住宅を構成するに当っては、図１に示すような基本的構図が考えられる。
【０００９】
即ち、図１に於いて、最大円は敷地１を現わし、かつこの敷地１内の２番目に大きな円は住宅２を現わしている。該住宅２内の３番目に大きい円はペットエリア３を示し、このペットエリア３にはペットの屋内遊び場４、猫間５、ペット専用トイレ６が設けられている。
【００１０】
７は玄関室７であって、この玄関室７とペットエリア３との間にはペットが玄関室７に侵入することを防止するための１個の室内扉８が設けられている。前期住宅２から敷地１側に隣接して、ペット庭９及びペットベランダ１０等のペットの外遊び場が設けられている。
【００１１】
前記ペット庭９及びペットベランダ１０等のペットの外遊び場は、夫々の一部が住宅２内に設けられており、その周りは後述のように猫返しフェンス、天井付フェンス等で囲しょうされてペットが逃げ出さないように構成されている。かつ、住宅２内のペットエリア３とペット庭９、ペットベランダ１０等のペットの外遊び場との間には、ペットが自由に出入りすることが出来る出入口１１が設けられている。
【００１２】
本発明に係るペット住宅は、前述の図１に示すペットと人とが楽しく快適に共生するための住宅２の内で、住宅２の一部とこれに隣接する敷地１側にネット状仕切りで囲しょうしてペットの外遊び場を形成すると共に、このペットの外遊び場に、住宅２内で飼育しているペットが自由に出入りすることが出来るように構成した発明に関するものである。
【００１３】
本発明を具体的に説明すると、その第１発明の要旨は、ペットを飼育する住宅に於いて、屋内の居住空間の外に木製ウッドデッキ、濡れ縁等の床、ベランダ、庭を設けると共に、これ等の床、ベランダ、庭をネット状仕切りで囲しょうにしてペットの外遊び場を形成し、かつ前記居住空間とペットの外遊び場とに介在される仕切壁には掃出窓等のペット専用出入口が設けられて構成されていることを特徴とした屋外遊び場付ペット住宅である。
【００１４】
前述の第１発明に於いては、屋内の居住空間の外に木製ウッドデッキ、濡れ縁等の床、ベランダ、庭を設けると共に、これ等をネット状仕切りで囲しょうしてペットの遊び場を形成したので、外遊び場のなかに光や風を取り込むことが出来、ペットをこの外遊び場で安心して快適に遊ばせることが出来る。これによってペットの健康や精神を安定させ、安らぎを与えてストレスが溜まることを防止することが出来る。また、この外遊び場の一部を屋内に設けることによって、降雨時にもペットを外遊び場で遊ばせることが出来る。
【００１５】
前記屋内の居住空間と外遊び場との間に介在される仕切壁には、掃出窓等のペット専用出入口を設けて構成したので、ペットは居住空間と外遊び場とを自由に行き来して、運動したりして遊び、ストレスを解消することが出来る。また、ペット以外の動物が屋内に侵入することも防止し、さらに防犯上に於いても有効である。
【００１６】
本発明に掛かる第２発明の要旨は、前記屋内の居住空間とペットの外遊び場との間に介在される仕切壁は、ガラス戸等の透視仕切りを用いて構成されていることを特徴とした第１発明の屋外遊び場付ペット住宅である。
【００１７】
前述の第２発明に於いては、前記屋内の居住空間とペットの外遊び場との間に介在される仕切壁をガラス戸等の透視仕切りにしたので、居住空間に居る飼主とペットの外遊び場に居るペットとが相互に目視して交流することが出来、飼主とペットとに安らぎを与えることが出来る。
【００１８】
本発明の第３発明の要旨は、前記ペット専用出入口は、ペットが自由に出入りすることが出来るペットスルーサッシで構成されていることを特徴とした第１発明或は第２発明の屋外遊び場付ペット住宅である。
【００１９】
前述の第３発明に於いては、前記ペット専用出入口にペットスルーサッシを取付けて構成したので、飼主が不在であってもペットは屋内と屋外とを自由に出入りすることが出来ると同時に、降雨時にもこの出入口より風雨が屋内に侵入することを防止出来る。
【００２０】
本発明の第４発明の要旨は、前記ペットの外遊び場を形成するネット状仕切り或は柱にペットが運動や遊ぶための小道具を着脱自在に取付けて構成したことを特徴とした第１発明乃至第３発明の屋外遊び場付ペット住宅である。
【００２１】
前述の第４発明に於いては、ペットの外遊び場を形成するネット状仕切り或は柱にハンギングや踏み板等のペットが運動したり遊んだりする小道具を取付けたので、これ等の小道具によってペットの遊び心を満足させて遊ばせることが出来る。これ等の小道具はペットの特性を見ながら選択して取扱えることも出来、これによって飼主も楽しむことが出来る。
【００２２】
【発明の実施の形態】
図により本発明に係る屋外遊び場付ペット住宅の一実施例を具体的に説明すると、図１は人とペットとが共生することが出来るペット用住宅の基本構図を示す説明図、図２は本発明の第１実施例のねこ庭の斜視図、図３は図２のねこ庭の周りに設けられた忍び返し付ネット状仕切りの説明図、図４はペットの出入口に設けたサッシの斜視図である。
【００２３】
図５は開口部の外方の濡れ縁に構成した本発明の第２実施例のペットジムの内面図、図６は図５のペットジムの外観図、図７は２階のテラスに設けた本発明の第３実施例のペットの外遊び場の内面図、図８は本発明の第４実施例のベランダフェンスの縦断面図、図９はベランダフェンスの外観図、図１０はペット用棚の使用説明図である。
【００２４】
図２及び図３に於いて、９はねこ等が運動或は遊ぶことが出来るペット庭であって、敷地１の庭の一部の周りを忍び返し付ネット状仕切り（フェンス）１２で囲しょうすることによって、住宅２の庭側開口部１３に隣接して形成されている。
【００２５】
ペット庭９の下面には、庭側開口部１３から庭先に向かって順にデッキ床１４、テラス床１５、芝生１６が設けられている。また、デッキ床１４には麻縄が巻き付けられた円柱１７の周りに、複数の踏板１８を段段状に取付けたキャットタワー１９が起立されている。かつ、芝生１６にはたる状のペットが遊ぶための小道具２０が載置されている。
【００２６】
前記住宅２の庭側開口部１３には、ペット庭９でペットが遊ぶ状態を眺めることが出来る透明ガラス戸が開閉自在に取付けられている。このペット庭９の周りには、前述のように忍び返し付フェンス１２が設けられているので、ペット庭９内に放されたペットが外部に逃げ出したり、或は外部から動物がペット庭９内に侵入することを完全に防止することが出来る。
【００２７】
前述の第１実施例のペット庭９に於いては、ペットが住宅２の外に出てデッキ床１４、テラス床１５、芝生１６、キャットタワー１９、小道具２０等に於いて、外気や日光に接して自由に運動したり、遊んだりすることが出来る。また、飼主も室内からこれを眺めて楽しむことが出来る。さらに、雨が急に降ってきた場合には、デッキ床１４内に逃げ込むことによって、デッキ床１４の上方に設けられている軒先（図示せず）で雨をよけることが出来る。
【００２８】
前記庭側開口部１３或は住宅２の壁面には、図４に示す如き掃出窓等のペットの出入口２１を設けると共にこの出入口２１にペットスルーサッシ２２を取付けて構成することが出来る。このようなペットスルーサッシ２２を設けた場合には、ペットをペット庭９に自由に出入りさせ、かつ外部から動物が住宅２内に侵入したり、或は降雨時に風雨が住宅２内に侵入することを防止することが出来る。
【００２９】
次に、図５及び図６に於いて、本発明の第２実施例に係るペットジム２３を用いたペットの外遊び場について説明する。このペットジム２３は、住宅２の庭側開口部１３の外方に突設された濡れ縁２４の前面、左右両面、上面を夫々ネット状仕切り（フェンス）１２ａで囲しょうしたボックスより形成されている。
【００３０】
ペットジム２３の柱或はフェンス１２ａには、ペットが昇降し得るペット用の踏板１８、ペット棚２５等が着脱自在に取付けられている。ペットジム２３は、前述の構成を有するので、ペットはこのペットジム２３内で外気や日光に当って、自由に遊んだり、昼寝をしたりすることが出来る。
【００３１】
また、ペットジム２３は全体がフェンス１２ａで囲まれているので、ペットが逃げ出したり、外部から動物が侵入したりする心配がない。このペットジム２３に接する庭側開口部１３には、前記実施例１と同様に、ペットが自由に出入り出来るペットの出入口２１及びペットスルーサッシ２２（図示せず）を設けることは当然可能である。
【００３２】
図７に於いて、２階のテラス２６を利用した本発明の第３実施例のペットの外遊び場について説明する。この第３実施例の場合には、２階のテラス２６の外側全面にフェンス２７を張設することによって、ペットが外方に落下することなく、テラス２６或は腰壁２８上に於いて外気や日光に当りながら自由に遊ぶことが出来るように構成されている。
【００３３】
図８、図９に於いて、２階のベランダ２９を利用した本発明の第４実施例のペットの外遊び場について説明する。この第４実施例の場合には、ベランダ２９の腰壁３０の頂部に取付けられた笠木３１とベランダ２９の軒先３２に亘ってフェンス３３を全面的に張設し、これによって前記第３実施例のテラス２６を利用した場合と同様のペットの外遊び場を構成している。
【００３４】
このベランダ２９を利用したペットの外遊び場の場合にも、ペットがベランダ２９の外に落下することなく、ベランダ２９内で外気や日光に当りながら、自由に遊び回ることが出来る。
【００３５】
前記第３実施例及び第４実施例の場合にも、第１実施例と同様に、住宅２の庭側開口部１３等にペットの出入口２１やペットスルーサッシ２２を取付けて構成することが出来ることは当然である。また、この第３実施例及び第４実施例の場合にも、第２実施例の如く、フェンス２７，３３に踏板１８、ペット棚２５等を取付けて構成することは可能である。
【００３６】
図１０は、前述のペット棚２５（或は踏板１８）をペットジム２３のフェンス１２ａ、柱、或は第３実施例及び第４実施例のフェンス２７，３３に取付ける状態の一例を示す説明図である。ペット棚２５は図に示す如く、掛具３４、固定金具３５等を用いてフェンス１２ａ、２７、３３の所定の高さに着脱自在に取付けることが出来る。
【００３７】
前述のデッキ床１４、濡れ縁２４を木製の床にした場合には、雨が降ってもすぐに水が切れ、また歩行感が良く、ペットの飼主にも歩き易い効果を有している。また、木製の床は夏にも熱くなり過ぎず、冬場にも冷たくなり過ぎず、ペットや飼主にとって佇みやすい効果も有している。
【００３８】
【発明の効果】
本発明に於いては、屋内の居住空間の外に木製ウッドデッキ、濡れ縁等の床、ベランダ、庭を設けると共に、これ等をネット状仕切りで囲しょうしてペットの遊び場を形成したので、外遊び場のなかに光や風を取り込むことが出来、ペットをこの外遊び場で安心して快適に遊ばせることが出来、これによってペットの健康や精神を安定させ、安らぎを与えてストレスが溜まることを防止することが出来る効果を有している。また、この外遊び場の一部を屋内に設けることによって、降雨時にもペットを外遊び場で遊ばせることが出来る効果も有している。
【００３９】
さらに、前記屋内の居住空間と外遊び場との間に介在される仕切壁には、掃出窓等のペット専用出入口を設けて構成したので、ペットは居住空間と外遊び場とを自由に行き来して、運動したりして遊び、ストレスを解消することが出来る効果を有している。また、ペット以外の動物が屋内に侵入することも防止し、さらに防犯上に於いても有効である。
【００４０】
本発明に於いて、前記屋内の居住空間とペットの外遊び場との間に介在される仕切壁をガラス戸等の透視仕切りにした場合には、居住空間に居る飼主とペットの外遊び場に居るペットとが相互に目視して交流することが出来、飼主及びペットに安らぎを与えることが出来る効果を有している。
【００４１】
本発明に於いて、前記ペット専用出入口にペットスルーサッシを取付けて構成した場合には、飼主が不在であってもペットは屋内と屋外とを自由に出入りすることが出来ると同時に、降雨時にもこの出入口より風雨が屋内に侵入することを防止出来る効果を有している。
【００４２】
本発明に於いて、ペットの外遊び場を形成するネット状仕切り或は柱にハンギングや踏み板等のペットが運動したり遊んだりする小道具を取付けた場合には、これ等の小道具によってペットの遊び心を満足させて遊ばせることが出来る。これ等の小道具はペットの特性を見ながら選択して取扱えることも出来、これによって飼主も楽しむことが出来る効果を有している。
【図面の簡単な説明】
【図１】図１は人とペットとが共生することが出来るペット用住宅の基本構図を示す説明図である。
【図２】図２は本発明の第１実施例のねこ庭の斜視図である。
【図３】図３は図２のねこ庭の周りに設けられた忍び返し付ネット状仕切りの説明図である。
【図４】図４はペットの出入口に設けたサッシの斜視図である。
【図５】図５は開口部の外方の濡れ縁に構成した本発明の第２実施例のペットジムの内面図である。
【図６】図６は図５のペットジムの外観図である。
【図７】図７は２階のテラスに設けた本発明の第３実施例のペットの外遊び場の内面図である。
【図８】図８は本発明の第４実施例のベランダフェンスの縦断面図である。
【図９】図９はベランダフェンスの外観図である。
【図１０】図１０はペット用棚の使用説明図である。
【符号の説明】
１    ・・・敷地
２    ・・・住宅
３    ・・・ペットエリア
４    ・・・ペットの屋内遊び場
５    ・・・猫間
６    ・・・ペット専用トイレ
７    ・・・玄関室
８    ・・・室内扉
９    ・・・ペット庭
１０  ・・・ペットベランダ
１１  ・・・出入口
１２  ・・・ネット状仕切り（フェンス）
１２ａ・・・フェンス
１３  ・・・庭側開口部
１４  ・・・デッキ床
１５  ・・・テラス床
１６  ・・・芝生
１７  ・・・円柱
１８  ・・・踏板
１９  ・・・キャットタワー
２０  ・・・小道具
２１  ・・・出入口
２２  ・・・ペットスルーサッシ
２３  ・・・ペットジム
２４  ・・・濡れ縁
２５  ・・・ペット棚
２６  ・・・テラス
２７  ・・・フェンス
２８  ・・・腰壁
２９  ・・・ベランダ
３０  ・・・腰壁
３１  ・・・笠木
３２  ・・・軒先
３３  ・・・フェンス
３４  ・・・掛具
３５  ・・・固定金具
【図１】
2004222602.tif 000003
【図２】
2004222602.tif 000004
【図３】
2004222602.tif 000005
【図４】
2004222602.tif 000006
【図５】
2004222602.tif 000007
【図６】
2004222602.tif 000008
【図７】
2004222602.tif 000009
【図８】
2004222602.tif 000010
【図９】
2004222602.tif 000011
【図１０】
2004222602.tif 000012